(57)【要約】      （修正有）【課題】ガラス管を木製の土台に取付けたもので、所持することで互いに絆を感じとることが出来る飾りを提供する。【解決手段】一輪挿しを挿して起立するガラス管３の下端部が嵌ることが出来る穴を形成した木製の土台２を有し、該土台２の表面に形成される木目４ａ〜４ｃは隣の土台２の木目４ａ〜４ｃと途切れることなく連続している。【選択図】図１
0003234135.tif 000002
【実用新案登録請求の範囲】
【請求項１】
一輪挿しを挿すことが出来るガラス管を備えた複数の飾りにおいて、一輪挿しを挿して起立するガラス管の下端部が嵌ることが出来る穴を形成した木製の土台を有し、該土台の表面に形成される木目は隣の土台の木目と途切れることなく連続していることを特徴とする一輪挿し用のガラス管を組み込んだ飾り。
【請求項２】
上記ガラス管の下端部が嵌る穴を土台表面から斜めに形成した請求項１記載の一輪挿し用のガラス管を組み込んだ飾り。
【請求項３】
上記土台の表面に補助台を固定し、該補助台に穴を形成してガラス管の下端部を嵌めた請求項１記載の一輪挿し用のガラス管を組み込んだ飾り。
【請求項４】
上記土台の背面上端部には、壁面に吊設する為の吊紐を取付けた請求項１、請求項２、又は請求項３のいずれか一項に記載の一輪挿し用のガラス管を組み込んだ飾り。
【請求項５】
上記土台をテーブル面や棚などに置くことが出来るようなブロック体とした請求項１、請求項２、又は請求項３のいずれか一項に記載の一輪挿し用のガラス管を組み込んだ飾り。
【考案の詳細な説明】
【技術分野】
【０００１】
本考案は一輪挿しを挿入するガラス管を備えた飾りであり、各飾りが互いに関連して繋がりを持って表現されるガラス管を組み込んだ飾りに関するものである。
【背景技術】
【０００２】
試験管のような細いガラス管に一輪挿しを挿して壁掛けとして、又は床の間に飾るようにしている場合がある。細い花瓶に一輪挿しを挿して飾るケースが一般的であるが、花瓶の代わりにガラス管を使用し、該ガラス管が倒れないように土台に設けた穴に嵌めている。そして、この土台を床の間に置いたり、又は壁掛けとして機能する飾りとしている。
【０００３】
特開２０１６−１２３７３８に係る「一輪挿し用のガラス管」は、１本ないし２〜３本の切り花を挿すことが出来る一輪挿し用のガラス管である。
このガラス管を構成するガラスは紫外線が透過するガラスで構成し、ガラス管内に入れた水中の雑菌繁殖を抑制することが出来、そのために、ガラス管に挿した切り花は直ぐに枯れることなく長持ちするようになる。
【０００４】
特開２０１０−１２２号に係る「一輪挿しの花器セット」は、１本ないし２〜３本の切り花を挿すことが出来る一輪挿しで、転倒することなく起立出来る一輪挿し花器セットである。
一輪挿しは細いガラス管で構成すると共に水が漏れないように底を有し、この一輪挿しを取付ける台座には穴を設け、この穴に一輪挿しの下端部を嵌めて起立することが出来る。
【０００５】
このように、細いガラス管を花瓶変わりとして使用し、これに切り花を挿して床の間などに飾ることは知られているが、類似した複数の飾りを作った場合に、それぞれの飾りを所持した人同士の繋がりを具現することは出来ない。
【特許文献１】特開２０１６−１２３７３８に係る「一輪挿し用のガラス管」
【特許文献２】特開２０１０−１２２号に係る「一輪挿しの花器セット」
【考案の開示】
【考案が解決しようとする課題】
【０００６】
ガラス管で構成する花器セットでは互いに結び付ける手段を見出すことは出来ない。本考案はこのガラス管に木製の土台を組み合わせ、この飾りを所持した複数の人が互いの結び付きを感じ取ることが出来るように、ガラス管を差し込むための木製の土台が繋がるように構成した一輪挿し用のガラス管を組み込んだ飾りを提供する。
【課題を解決するための手段】
【０００７】
本考案のガラス管を組み込んだ飾りは、ガラス管が木製の土台に形成した穴に差し込んで起立している。ここで、ガラス管は試験管のように細長く延びているが、具体的な形態及び該ガラス管が嵌る土台の形態は特に限定しない。
そして、該土台をテーブルや床の間に配置したり、又は壁面に掛ける場合もあり、その装飾形態に関しても自由である。従って、土台から起立して一輪挿しが挿されるガラス管は部屋の飾りとなる。特に日本間には最適な飾りとして機能することが出来る。
【０００８】
ところで、上記土台は木製で、大きな木材を必要なサイズ・形状に切断して構成している。そこで、木製土台には木目が形成され、この表面化している木目は互いに繋がって表現される。複数の飾りを製作し、これら個々の各飾りを親しい友人、近い親戚などが所持することが出来、これら各飾りを介して心の繋がりを具現している。
ところで、細いガラス管に挿し込まれる一輪挿しは、その重量が該ガラス管よりも大きく、その為に一輪挿しは重量のバランスをとるためにガラス管と共に回転してしまう。この事態を回避する為に土台に形成した穴底を段付き穴として形成している。
【考案の効果】
【０００９】
本考案の飾りはガラス管を木製の土台に取付けたものであり、したがって、該飾りはテーブルや床の間に置いて楽しむことが出来る。また、部屋の壁に掛けることが出来、部屋のインテリアとしての効果は大きい。
飾りは細いガラス管を有し、これに１〜２本の花を挿すことでよく、挿した生け花は比較的長持ちする為に維持管理は容易である。
そして、ガラス管に挿される一輪挿しの重量バランスが取れていない場合であっても、ガラス管が回転することはなく、外観（見栄え）を考慮して一輪挿しを挿すことが出来る。
【００１０】
そして、この木製土台には形成される木目が表面化し、しかも木目は製作した複数の土台にて互いに繋がっている。したがって、上記土台に形成される木目を介して飾りを所持することで各個人の間で結び付きを感じ取ることが出来る。
例えば、結婚した新婚夫婦と新郎の両親及び新婦の両親が所持することで、３家族間の絆を保つ上で大きな効果がある。
【図面の簡単な説明】
【００１１】
【図１】本考案に係るガラス管を組み込んだ飾りを示す実施例。
【図２】飾りを壁面に掛ける別形態を示す実施例。
【図３】土台の表面に補助台を取付けた飾りを示す実施例。
【図４】テーブル面に置かれる飾りを示す実施例。
【図５】土台に設けた穴の断面を示す具体例。
【図６】ガラス管の下端部を示す具体例。
【図７】ガラス管の下端部が穴に嵌っている状態。
【考案を実施するための形態】
【００１２】
図１は本考案に係るガラス管を組み込んだ飾りを示す実施例である。同図では３体の飾り１ａ，１ｂ，１ｃが横方向に配列している場合で、同図の２ａ，２ｂ，２ｃは土台、３ａ，３ｂ，３ｃはガラス管をそれぞれ表わしている。
上記土台２ａ，２ｂ，２ｃは木製のブロック板で同じ縦横寸法と厚さを有し、そして表面には木目４ａ，４ｂ，４ｃが横方向に延びて形成されている。
【００１３】
また、背面の上端部には吊紐５ａ，５ｂ，５ｃが取付けられ、これら吊紐５ａ，５ｂ，５ｃは壁面に固定した吊具６ａ，６ｂ，６ｃに係止して土台２ａ，２ｂ，２ｃは吊設されている。
上記ガラス管３は土台２に取付けられているが、その為に該土台２には表面から斜め下方へ向いて穴が設けられていて、この穴にガラス管３の下端部が嵌入して取付けられている。
【００１４】
ガラス管３は斜めに傾斜していて、該ガラス管３は細く延びてその上端開口から２〜３本の花が挿されている。ここで、ガラス管３に挿される一輪挿しは特に限定しないが、大きな花瓶でないので細くて可憐な切り花が適している。また、ガラス管３の形態に関しても自由であるが、同図に示すガラス管３は上端開口部が大きく膨らんでいる。
【００１５】
ところで、図１に示すように３体の飾り１ａ，１ｂ，１ｃを連ねて壁面に掛けることも自由であるが、本考案の飾り１ａ，１ｂ，１ｃはそれぞれ別々に所持することで互いの絆を保つことを目的としている。例えば、飾り１ａは結婚した新婚夫婦が持ち、飾り１ｂは新郎の両親が所持し、さらに飾り１ｃは新婦の両親が所持することが出来る。
【００１６】
飾り１ａ，１ｂ，１ｃの土台２ａ，２ｂ，２ｃの表面には木目４ａ，４ｂ，４ｃが形成されていて、これら各木目４ａ，４ｂ，４ｃは途切れることなく連続している。この木目４ａ，４ｂ，４ｃを介して、結婚した新婚夫婦、新郎の両親、新婦の両親が互いに結び付くことが出来る。少なくとも飾り１ａ，１ｂ，１ｃを所持することで絆を感じ取ることは可能である。
【００１７】
図２は飾り１を壁面に掛ける手段としての別形態を示している具体例である。土台２の背面上端部に係止溝７を設け、この係止溝７に壁面に固定したＬ形金具８に係止して該飾り１が掛かっている。
ただし、飾り１を壁面に吊設する方法は同図に示す場合に限定するものではないが、吊紐５にて飾り１を吊設するならば土台２は傾斜して壁面との間に隙間が形成され、図２に示す金具８を介して飾り１を吊設するならば壁面には隙間を作ることはない。
【００１８】
図３は土台９を示す別形態である。該土台９の表面には補助台１０が取付けられ、この補助台１０の上面から下方へ穴が延び、該穴にガラス管３の下端部が嵌って取付けられている。補助台１０を設けることでガラス管３は大きく傾くことなくほぼ垂直上方へ向いて延び、同じくガラス管３に挿した一輪挿しも傾くことなく起立することが出来る。
【００１９】
図１は壁掛け形式の飾りであるが、テーブルや棚の上に置くことも可能である。また、床の間に置くことも出来る。
図４は本考案に係る飾り１１を示す他の実施例である。この飾り１１も土台１２に設けた穴にガラス管１３を嵌めて起立し、このガラス管１３に２〜３本の花を挿している。基本的な形態は前記図１に示した飾り１と同じであるが、土台１２は木製のブロック体で構成し、該土台１２はテーブル上に置くことが出来る。
【００２０】
図４に示すように、複数の飾り１１，１１・・・として構成する場合、木製の土台１２，１２・・・に形成される木目は途切れることなく連続して形成している。ところで、これら各飾り１１，１１・・・は学生時代の友人同士が卒業の記念として所持することが出来る。
【００２１】
ところで、大きくて重い花瓶に切り花を生ける場合であれば、テーブル面に載置した花瓶が動くことはないが、本考案のように細いガラス管３に２〜３本の切り花を挿し込むならば、ガラス管３は一輪挿しである切り花と共に回転する虞がある。すなわち、一輪挿しといえども生け花としての見栄えを整える必要があり、そのために重量のバランスが崩れてしまう。この重量バランスをとるために回転する。
【００２２】
本考案では、ガラス管３の回転を防止するための工夫がなされている。図５は土台１２に設けている穴１４の断面を表しているように、穴底１５は段付き穴を形成して内径を小さくした補助穴１６を設けている。
そして、図６にガラス管３の下端部を示すように、丸底ではなく、先が尖った形状と成っていて、尖った下端部は図7に示しているように、穴底１５のコーナー１８に斜面１７が係合することが出来る。その為に、斜面１７とコーナー１８間の摩擦によってガラス管３の回転を阻止することが出来る。
【符号の説明】
【００２３】
１   飾り
２   土台
３   ガラス管
４   木目
５   吊紐
６   吊具
７   係止溝
８   金具
９   土台
10   補助台
11   飾り
12   土台
13   ガラス管
14   穴
15   穴底
16   補助穴
17   斜面
18   コーナー
【図１】
0003234135.tif 000003
【図２】
0003234135.tif 000004
【図３】
0003234135.tif 000005
【図４】
0003234135.tif 000006
【図５】
0003234135.tif 000007
【図６】
0003234135.tif 000008
【図７】
0003234135.tif 000009
【手続補正書】
【提出日】令和3年7月26日(2021.7.26)
【手続補正１】
【補正対象書類名】実用新案登録請求の範囲
【補正対象項目名】全文
【補正方法】変更
【補正の内容】
【実用新案登録請求の範囲】
【請求項１】
一輪挿しを挿すことが出来るガラス管を備えた複数の飾りにおいて、一輪挿しを挿して起立するガラス管の下端部が嵌ることが出来る穴を形成した木製の土台を有し、該土台の表面に形成される木目は隣の土台の木目と途切れることなく連続していることを特徴とする一輪挿し用のガラス管を組み込んだ飾り。
【請求項２】
上記ガラス管の下端部が嵌る穴を土台表面から斜めに形成した請求項１記載の一輪挿し用のガラス管を組み込んだ飾り。
【請求項３】
木製の土台にガラス管の下端部が嵌ることが出来る穴を形成することに代えて、上記土台の表面に補助台を固定し、該補助台に穴を形成してガラス管の下端部を嵌めた請求項１記載の一輪挿し用のガラス管を組み込んだ飾り。
【請求項４】
上記土台の背面上端部には、壁面に吊設する為の吊紐を取付けた請求項１、請求項２、又は請求項３のいずれか一項に記載の一輪挿し用のガラス管を組み込んだ飾り。
【請求項５】
上記土台をテーブル面や棚などに置くことが出来るようなブロック体とした請求項１、請求項２、又は請求項３のいずれか一項に記載の一輪挿し用のガラス管を組み込んだ飾り。